(57)【特許請求の範囲】
【請求項１】
熱交換器、ドレンパン、及び送風機をフレームに組み付けて固定した壁掛け型空気調和装置において、
前記熱交換器の側方に縦長の電装箱を備え、
この電装箱の外側板が、奥端をヒンジ連結して、前端を側方に開閉可能に形成されており、
前記電装箱の外側板裏面にメイン基板が取り付けられ、
前記メイン基板の装着部品を避けた位置で当該メイン基板の下方に、前記電装箱から前方に引き出し自在にサブ基板を当該電装箱に収容し、
前記外側板を閉じた状態で当該外側板に対向する内側板と前記外側板との間且つ前記メイン基板の下方に、サブ基板載置プレートを着脱自在に支持し、
前記サブ基板は、サブ基板載置プレートに載置されていることを特徴とする壁掛け型空気調和装置。
【請求項２】
前記電装箱の外側板裏面には、前記メイン基板を着脱自在に係止する係止部が設けられることを特徴とする請求項１に記載の壁掛け型空気調和装置。
【請求項３】
前記外側板に対向する内側板の前端部に設けられ、一部が開口する縦長のリード線挿通孔と、
前記リード線挿通孔の開口に設けられ、当該リード線挿通孔に挿通されたリード線が当該開口を介して外側に移動することを防止するフック部と、
を備えたことを特徴とする請求項１または２に記載の壁掛け型空気調和装置。
【発明の詳細な説明】
【技術分野】
【０００１】
本発明は、制御基板等を収容する電装箱を備えた壁掛け型空気調和装置に関する。
【背景技術】
【０００２】
従来、壁掛け式の空気調和装置では、室内ユニットの筐体内に制御基板を収容する電装箱が設けられている。電装箱は室内ユニットに対して取り外し可能に設けられている（例えば、「特許文献１」参照）。制御基板を交換する場合は、まず、この電装箱を室内ユニットから取り外す必要がある。そして、電装箱から制御基板を取り付けた基板フレームを取り外し、さらに制御基板を基板フレームから取り外す必要がある。この様に、制御基板の交換の際に、電装箱を室内ユニットから取り外し、さらに制御基板を基板フレームから取り外す必要があるのでは、手間が掛かり、作業性が悪い。そこで、室内ユニットから電装箱を取り外すことなく、電装箱から制御基板を着脱自在に収容したものも知られている（例えば、「特許文献２」参照）。この場合、制御基板を交換する際には、電装箱を取り外すことなく、制御基板だけを取り外せばよいため、作業性が向上する。
【先行技術文献】
【特許文献】
【０００３】
【特許文献１】特開２００７−１２７３４４号公報
【特許文献２】特開平１０−２６３６３号公報
【発明の概要】
【発明が解決しようとする課題】
【０００４】
ところで、オプション部品の追加があった場合、制御基板にこのオプション部品を追加するためのコネクターを接続する作業が生じる。上記、特許文献２に記載の技術では、制御基板を電装箱から引き出して、コネクターを接続すればよいため、作業性に優れている。しかしながら、当該作業を行うためには、電装箱から制御基板をメンテナンス業者等が作業可能な位置まで引き出す必要がある。制御基板には、電源線や室外ユニットとの通信配線、あるいは室内ユニットに備えられたファンモーター等に接続されるリード線等が各種のリード線が接続されている。従って、制御基板をメンテナンス業者等が作業可能な位置まで引き出すためには、これらのリード線を十分長くする必要があり、コストアップにつながっていた。一方、特許文献１に記載の技術では、電装箱を室内ユニットから取り外す作業が生じるが、メンテナンス業者等は電装箱を手元に置いた状態でコネクターの差込作業ができる。このため、リード線の長さは制御基板にコネクターを差し込むために十分な長さであればよく、コストを抑えることができる。
本発明は、上述した事情に鑑みてなされたものであり、作業性に優れ、かつ、コストを抑えることのできる壁掛け型空気調和装置を提供することを目的とする。
【課題を解決するための手段】
【０００５】
上記目的を達成するために、本発明の第一態様は、熱交換器、ドレンパン、及び送風機をフレームに組み付けて固定した壁掛け型空気調和装置において、前記熱交換器の側方に縦長の電装箱を備え、この電装箱の外側板が、奥端をヒンジ連結して、前端を側方に開閉可能に形成されており、前記電装箱の外側板裏面にメイン基板が取り付けられ、前記メイン基板の装着部品を避けた位置で当該メイン基板の下方に、前記電装箱から前方に引き出し自在にサブ基板を当該電装箱に収容し、前記外側板を閉じた状態で当該外側板に対向する内側板と前記外側板との間且つ前記メイン基板の下方に、サブ基板載置プレートを着脱自在に支持し、前記サブ基板は、サブ基板載置プレートに載置されていることを特徴とする壁掛け型空気調和装置を提供する。
上記構成によれば、奥端がヒンジ連結された電装箱の外側板の前端を側方に開くことにより、電装箱を取り外すことなく、電装箱に収容された制御基板にオプション部品を追加するためのコネクターの差込作業等を行うことができるので、作業性に優れている。また、外側板を開いた状態で、オプション部品の追加に伴うコネクターの差込作業等の各種作業を行うことができるので、リード線の長さを制御基板にコネクターを差し込むことができるために十分な最小限の長さとすることができる。これにより、電装箱に収容された制御基板を前方に引き出す場合と比して、コストを抑えることができる。また、制御基板交換時においても、電装箱を取り外すことなく、外側板を開いて、制御基板を取り外すことができ、作業性に優れている。また、外側板裏面にメイン基板（制御基板）が取り付けられているので、外側板裏面を開いた状態で、オプション部品の追加に伴うコネクターの差込作業等を行うことができる。また、外側板裏面にメイン基板が取り付けられているので、作業業者は、外側板裏面にメイン基板を支持させた状態で作業を行うことができ、作業性に優れている。また、オプション基板等のサブ基板を必要とする機種の壁掛け型空気調和装置と、このようなサブ基板を必要としない機種の壁掛け型空気調和装置の電装箱を共通化して、コスト低減を図ることができる。また、サブ基板を電装箱に収容可能に構成することにより、当該壁掛け式空気調和装置を設置後、オプション基板等のサブ基板を前方から挿入するようにして追加することができる。また、電装箱を室内ユニットから取り外すことなく作業することができるので、作業性が向上する。さらに、サブ基板載置プレートを取り外すことにより、電装箱内のメイン基板の収容スペースを拡大することができる。これにより、オプション基板等のサブ基板を必要としない機種であって、メイン基板の大きな機種と、電装箱を共通化することができ、コスト低減を図ることができる。
【０００７】
また、本発明は、前記電装箱の外側板裏面には、前記メイン基板を着脱自在に係止する係止部が設けられることを特徴とする。
上記構成によれば、電装箱の外側裏面からメイン基板を容易に取り外して、メイン基板の交換作業等を行うことができる。
【００１０】
また、本発明は、前記外側板に対向する内側板の前端部に設けられ、一部が開口する縦長のリード線挿通孔と、前記リード線挿通孔の開口に設けられ、挿通されたリード線が当該開口部分を介して当該リード線挿通孔の外側に移動することを防止するフック部と、を備えたことを特徴とする。
上記構成によれば、制御基板の装着部品に接続されたリード線をリード線挿通孔に通して、電装箱の外側に引き出して、電装箱の外側に配置された部品と接続することができる。
【発明の効果】
【００１１】
本発明によれば、電装箱を室内ユニットから取り外すことなく、また、制御基板を電装箱から引き出すことなく、オプション部品の追加作業等を行うことができるので、作業性に優れ、かつ、制御基板を前方に引き出す構成と比してリード線を短くすることができ、コストを抑えることができる。
【図面の簡単な説明】
【００１２】
【図１】本実施の形態の壁掛け型空気調和装置の断面図である。
【図２】本実施の形態の壁掛け型空気調和装置の分解斜視図である。
【図３】本実施の形態の電装箱を外側板側から示す斜視図である。
【図４】本実施の形態の電装箱の外側板を開いた状態を示す斜視図である。
【図５】本実施の形態の電装箱の斜視分解図である。
【図６】本実施の形態の電装箱の外側板の側における側面図（ａ）と、正面図（ｂ）である。
【図７】本実施の形態の電装箱の外側板の裏面の構成を示す斜視分解図である。
【図８】本実施の形態の壁掛け型空気調和装置の一部を前面パネルを外した状態で示す正面図である。
【図９】本実施の形態の電装箱に設けられる第一端子板及び第二端子板を示す正面図である。
【図１０】本実施の形態の電装箱を内側板の側から示す側面図である。
【図１１】本実施の形態のリード線挿通孔の周囲を拡大して示した図である。
【図１２】リード線挿通孔の他の例を示した図である。
【発明を実施するための形態】
【００１３】
以下、図面を参照して本発明の実施形態について説明する。
図１は本発明を適用した実施の形態に係る壁掛け型空気調和装置１の断面図であり、図２は壁掛け型空気調和装置１の分解斜視図である。
壁掛け型空気調和装置１は、断面略Ｃ字状に形成されたフィンアンドチューブ型の熱交換器２をフレーム３に配設し、この熱交換器２の内側に送風機４を配置して構成され、熱交換器２にはグリル１０が被せられる。フレーム３は樹脂成形により断面略Ｌ字状に形成された部材であり、熱交換器２から流下するドレン水を受けるドレンパン３１、及び、送風機４を収容するスクロール部３２を備え、フレーム３の背面には、据付板５０の係止爪５１を受ける凹部が形成されている。このフレーム３及びグリル１０によって壁掛け型空気調和装置１の筐体が構成される。
熱交換器２の側方には、フィンから露出する冷媒配管部分において凝縮したドレン水を受けて、ドレンパン３１に流すための水受け２１が熱交換器２と一体に組み付けられて、熱交換ユニット２０を構成している。この水受けは、熱交換器２に組み付けられた状態で、熱交換器２の一次側と二次側とを仕切る仕切り部材として機能している。
この水受け２１の熱交換器２側の側面には、図示しない開口が設けられており、熱交換器２の一次側の吸い込み温度を検出する温度センサーが開口内に挿入されるようにして取り付けられる。
フレーム３と据付板５０、及び、フレーム３とグリル１０とは互いにビスにより連結され、ビス止め作業を行うためのサービスホール１５がグリル１０の下面に開口している。サービスホール１５は、通常使用時においてはビスキャップ１４により塞がれている。
【００１４】
送風機４はいわゆるクロスフローファンで構成され、フレーム３に設けられた舌部４８とスクロール部３２との間に収められ、送風機４の両端が、ベアリング４３を有する軸受け部４４と、軸受け部４５とを介してフレーム３により支持される。
送風機４の一端にはファンモーター４６が連結され、ファンモーター４６が、軸受け４７を介してフレーム３に取り付けられている。より詳細に説明すると、送風機４の一端には、ファンモーター４６の出力軸が挿入される穴４１が設けられ、この穴４１に挿入されたファンモーター４６の出力軸は、送風機４の側面から螺入されるセットスクリュー４２によって、送風機４に固定される。
フレーム３の背面側の下部には、冷媒配管やドレン管を収容するための長手形状の空間である配管収容部３３が形成され、配管収容部３３内の上記配管を押さえ込む配管押え５２、５３が取り付けられる。
【００１５】
グリル１０には上面吸込口１１及び前面吸込口１２が開口し、前面吸込口１２を覆うように前面パネル１６が取り付けられる。グリル１０には、熱交換ユニット２０の側方に相当する位置に開口部１８が形成されている。この開口部１８については後述する。
送風機４は、上面吸込口１１及び前面吸込口１２から熱交換器２を介して室内空気を吸い込み、熱交換器２において熱交換された空気を、スクロール部３２と舌部４８との間の空間を通じて、壁掛け型空気調和装置１の下面に開口する吹出口１３から被調和室内に吹き出す。
吹出口１３には風向変更用の横羽根としての２枚のフラップ６０、６０が設けられる。フラップ６０はフラップ軸６１を有し、このフラップ軸６１を中心として上下に回動する。２枚のフラップ６０、６０は、フラップ駆動モーター６３によって連動して駆動され、吹出口１３を開閉するとともに、吹出口１３からの風向を上下方向において設定する。
【００１６】
また、スクロール部３２の出口側には、風向変更用の複数の縦羽根８５が並べて配置されている。縦羽根８５は、複数枚（本実施形態では５枚）が一組となって、スクロール部３２の裏側でリンク部材８７により連結される。縦羽根８５は、縦羽根駆動モーター（不図示）に連結され、この縦羽根駆動モーターの動作または操作レバー８６の操作に応じて、左右に向きを変える。
そして、縦羽根８５とフラップ６０との間に、ファンガード７０が設けられている。ファンガード７０は、吹出口１３の長手方向に沿って、互いに平行に掛け渡された２本のワイヤー７１、７１と、これらワイヤー７１、７１の端を束ねる支持体７２、７３とを備えて構成される。ファンガード７０は、ワイヤー７１、７１によって、吹出口１３の奥へ手を差し入れることができないようにする部材である。
【００１７】
以上の様に構成された、壁掛け型空気調和装置１において、熱交換ユニット２０の側方には正面視において、高さ方向に縦長に構成された電装箱５５が配置される。フレーム３には、ドレンパン３１の側方に電装箱組付部３４が設けられており、この電装箱組付部３４において電装箱５５がフレーム３に組み付けられる。
ここで、図３〜図７に電装箱５５の構成を示す。図３は電装箱５５を外側板９２側から示す斜視図である。また、図４は、電装箱５５の外側板９２を開いた状態を示す斜視図である。図５は、電装箱５５の斜視分解図である。図６（ａ）は電装箱５５の外側板９２の側における側面図であり、図６（ｂ）は、電装箱５５の正面図である。また、図７は、電装箱５５の外側板９２の裏面側の構成を示す分解斜視図である。
ここで、電装箱５５の側板のうち、熱交換ユニット２０側に配置される側板を内側板９１、この内側板９１に対向する側板を外側板９２とする。また、端子板１０１、１０２が設けられる側を前側とし、据付板５０の側を奥側とする。
【００１８】
図３〜図７に示す様に、電装箱５５は内側板９１を備えた電装箱本体９０と、この電装箱５５に開閉可能にヒンジ連結される外側板９２とを備えている。図４に示す様に、電装箱５５の外側板９２は奥端９２ａが電装箱本体９０にヒンジ連結されており、前端９２ｂが側方に開閉可能に形成されている。外側板９２の上端９２ｃの略中央位置には、電装箱本体９０に当該外側板９２を係止するための爪部９３が設けられている。この爪部９３を電装箱本体９０に形成された受け部９４に係止することで、外側板９２が閉じられる。但し、図３には、電装箱本体９０の上部にトップカバー５６が被された状態を示している。
外側板９２の裏面には、メイン基板１１０が取り付けられる。外側板９２の前端９２ｂの略中央位置にはメイン基板１１０を着脱自在に係止するための係止部９５が設けられており、メイン基板１１０の下端１１１は後述するレール９６ａに支持されている。外側板９２を開いた場合、メイン基板１１０は、レール９６ａに下端１１１が支持され、前端１１２が係止部９５により係止された状態で、外側板９２と共に移動する。従って、外側板９２を開いたメンテナンス業者等に対して、メイン基板１１０の電子部品の装着面が面するようになっている。また、係止部９５は、弾性変形可能な部材で構成されている。そして、当該係止部９５の前端部９５ａに対して外側に開くような力が加わると、係止部９５とメイン基板１１０との係合が解除される。したがって、外側板９２を閉じた状態で、メンテナンス業者等がこの係止部９５を外側に開くと、電装箱５５をフレーム３に組み付けた状態で、メイン基板１１０を電装箱５５から引き出すことができる。但し、図４は、外側板９２のみを開いた状態を示している。
【００１９】
また、図３及び図６（ｂ）に示す様に、内側板９１と外側板９２との間は開口している。電装箱本体９０に収容されたメイン基板１１０の前端１１２側はこの開口から露出している。メイン基板１１０の下方、すなわち、メイン基板１１０の装着された電子部品（装着部品）を避けた位置にサブ基板１２０が収容されている。サブ基板１２０は、案内部９６により、この開口を介して電装箱５５から引き出し自在となっている。案内部９６は、図７に示す様に、外側板９２の裏面に着脱自在に取り付けられるレール９６ａと、内側板９１に設けられ、このレール９６ａと対向する位置に取り付けられるレール９６ｂと、これらのレール９６ａ、９６ｂにより着脱自在に支持されるサブ基板載置プレート９７とを備えている。サブ基板載置プレート９７の前端には係止部９７ａが形成されており、この係止部９７ａによりサブ基板載置プレート９７に載置されたサブ基板１２０が電装箱５５外に飛び出さないようにされている。
サブ基板１２０は、このサブ基板載置プレート９７に載置されて、電装箱５５に収容される。これにより、サブ基板１２０は案内部９６に案内されて電装箱５５から前方に引き出し自在となっている。
【００２０】
電装箱５５の前側には、内側板９１の前端９１ａに連接する前面板９８が熱交換ユニット２０の側に突出するように設けられている。但し、本実施の形態では、内側板９１の前端９１ａ側の上部には、メイン基板１１０に装着される大型の電子部品を収容するため、熱交換ユニット２０側に突出する凹部９１ｂが形成されている。
前面板９８には、上下に間隔を開けて第一端子板１０１、及び第二端子板１０２が設けられている。これらと共に、前面板９８には、第一端子板１０１及び第二端子板１０２の中間位置に配線仕切板１０３が設けられる。
ここで、図８は、前面パネル１６を外した壁掛け型空気調和装置１の一部を示す正面図を示す。また、図９は、第一端子板１０１、及び第二端子板１０２を示す正面図である。
上述した様に、グリル１０には、電装箱５５の配置位置に相当する位置に開口部１８が形成されている。前面パネル１６を外した場合、グリル１０の開口部１８から電装箱５５の前面板９８に設けられたこれらの第一端子板１０１、及び配線仕切板１０３、並びに第二端子板１０２が露出される。また、電装箱５５の内側板９１と外側板９２との間の開口部分は、着脱自在の前面カバー部材５７により被覆されると共に、グリル１０により一部が被覆される。
【００２１】
第一端子板１０１に接続されるリード線（図示略）は、メイン基板１１０に接続される。第一端子板１０１には、二つの接続端子が一対となった五対の接続端子Ｔ１１〜Ｔ１５が設けられている。これらの五対の接続端子Ｔ１１〜Ｔ１５は、端子間仕切壁１０１ａによって仕切られている。
第一端子板１０１に設けられた五対の接続端子Ｔ１１〜Ｔ１５のうち、熱交換ユニット２０側に並んで配置される二対の接続端子Ｔ１１、Ｔ１２は、電源線接続用の接続端子である。また、中央に配置される一対の接続端子Ｔ１３はアース線接続用の接続端子である。残りの二対の接続端子Ｔ１４、Ｔ１５は、室外ユニットとの通信配線が接続される通信配線用の接続端子である。
一方、第二端子板１０２に接続されるリード線（図示略）は、サブ基板１２０に接続される。第二端子板１０２には、二つの接続端子が対になった四対の接続端子Ｔ２１〜Ｔ２４が設けられている。サブ基板１２０はオプション部品追加用の基板である。この四対の接続端子Ｔ２１〜Ｔ２４のうち、熱交換ユニット２０側に配置される二対の接続端子Ｔ２１、Ｔ２２は、リモコンの信号受信部と接続されるリモコン配線用の接続端子である。残りの二対の接続端子Ｔ２３、Ｔ２４は、集中制御装置と通信接続を行うための通信配線が接続される接続端子である。但し、本実施の形態の壁掛け型空気調和装置１は、複数台の室内ユニット１Ａを一台又は複数台の室外ユニットと接続して、集中制御装置により室内ユニット及び室外ユニットの運転状態を制御可能に構成されている。
【００２２】
配線仕切板１０３は、図５及び図８に示す様に、前端１０３ａが第一端子板１０１の端子間仕切壁１０１ａの上部に近接し、奥端１０３ｂが第二端子板１０２の端子間仕切壁１０２ａの下部に近接するように、前方から奥方に向かって傾斜している。配線仕切板１０３の下方は、第一端子板１０１に接続されたリード線の配線スペースとなっており、配線仕切板１０３の上方は、第二端子板１０２に接続されたリード線の配線スペースとなっている。
第一端子板１０１に設けられた互いに対になる接続端子Ｔ１１〜Ｔ１５のうち、配線仕切板１０３側に位置する接続端子Ｔ１１ａ〜Ｔ１５ａ（図９参照）に接続されたリード線は、配線仕切板１０３の下側を通って、内側板９１の前端９２ｂ側から電装箱５５に収容されたメイン基板１１０に接続される。但し、上述した様に、電装箱５５の内側板９１と外側板９２との間の開口部分は着脱自在の前面カバー部材５７により被覆されると共に、グリル１０により一部が被覆されている。したがって、メイン基板１１０に接続された配線は、前面カバー部材５７及びグリル１０とこの配線仕切板１０３により被覆されており、ユーザーやメンテナンス業者等にメイン基板１１０に接続された配線を不用意に触られることが防止されている。
【００２３】
また、メイン基板１１０には、ファンモーター４６、フラップ駆動モーター６３及び温度センサーに接続されるリード線（図示略）が接続される。これらのリード線は、内側板９１の前端部９１ｃに設けられた縦長のリード線挿通孔９９を通って電装箱５５に挿入される。
ここで、図１０及び図１１を参照して、リード線挿通孔９９について説明する。図１０は内側板９１の側から電装箱５５を示す側面図である。また、図１１は、リード線挿通孔９９の周囲を拡大して示した図である。
【００２４】
図１０及び図１１に示す様に、リード線挿通孔９９は内側板９１の前端部９１ｃの上方、すなわち上述した凹部９１ｂの上方に設けられており、電装箱５５の高さ方向に縦長の長孔として形成されている。リード線挿通孔９９の上部は一部が切り欠かれて開口している。複数のリード線を束ねた状態で、この開口９９ａにリード線の束を押し当てると、リード線の束がリード線挿通孔９９に挿通される。開口９９ａにはリード線挿通孔９９に挿通されたリード線が開口９９ａを介して外部に移動するのを防止するフック部１００が設けられている。このフック部１００は、側面視において、リード線が挿入される側が狭いテーパー状に形成されており、フック部１００の下部１００ａとフック部１００に対向するリード線挿通孔９９の内面９９ｂとの間の距離は、１本のリード線の径よりも小さくなっている。また、フック部１００に繋がるリード線挿通孔９９の前部９９ｃは、幅が細く、高さ方向に長尺に形成されており、弾性変形する。したがって、リード線の束を開口９９ａに押し当てた場合、リード線の束により下方に押下される力によって、リード線挿通孔９９の前部９９ｃが前方に倒れて開口９９ａが開く。これにより、複数のリード線が束にされた状態のまま、リード線挿通孔９９にリード線が挿通される。リード線が挿通されると、開口９９ａは元の大きさに戻り、リード線が外側に移動するのが防止される。
【００２５】
以上説明した本実施の形態の壁掛け型空気調和装置１によれば、グリル１０を取り外せば、奥端９２ａがヒンジ連結された電装箱５５の外側板９２の前端９２ｂを側方に開くことにより、電装箱５５を取り外すことなく、電装箱５５に収容されたメイン基板にオプション部品を追加するためのコネクターの差込作業等を行うことができるので、作業性に優れている。また、外側板９２を開いた状態で、オプション部品の追加に伴うコネクターの差込作業等の各種作業を行うことができるので、リード線の長さを制御基板にコネクターを差し込むことができるために十分な流さであればよく、メイン基板１１０を前方に引き出す場合と比して、コストを抑えることができる。また、メイン基板１１０の交換時においても、電装箱５５を取り外すことなく、外側板９２を開いて、メイン基板１１０を取り外すことができ、作業性に優れている。
【００２６】
また、上記実施の形態によれば、外側板９２裏面にメイン基板１１０が取り付けられているので、外側板９２裏面を開いた状態で、オプション部品の追加に伴うコネクターの差込作業等を行うことができる。また、外側板９２裏面にメイン基板１１０が取り付けられているので、作業業者は、外側板９２裏面にメイン基板１１０を支持させた状態で作業を行うことができ、作業性に優れている。
【００２７】
また、上記実施の形態によれば、電装箱５５の外側板９２裏面には、前記メイン基板１１０を着脱自在に係止する係止部９５が設けられているので、係止部９５との係合を解除することにより、電装箱５５の外側裏面からメイン基板１１０を容易に取り外して、メイン基板１１０の交換作業等を行うことができる。
【００２８】
また、上記実施の形態によれば、メイン基板１１０の下方にサブ基板１２０を収容することで、メイン基板１１０の装着部品を避けた位置に、サブ基板１２０を収容することができる。また、案内部９６に案内されて、メイン基板１１０の装着部品に緩衝することなく、電装箱５５から前方に引き出すことができる。
また、当該構成によれば、オプション基板等のサブ基板１２０を必要とする機種の壁掛け型空気調和装置と、このようなサブ基板１２０を必要としない機種の壁掛け型空気調和装置の電装箱５５を共通化して、コスト低減を図ることができる。また、サブ基板１２０を電装箱５５に収容可能に構成することにより、当該壁掛け式空気調和装置を設置後、オプション基板等のサブ基板１２０を前方から挿入するようにして追加することができ、電装箱５５を室内ユニット１Ａから取り外すことなく作業することができ、作業性が向上する。
【００２９】
また、上記実施の形態によれば、電装箱５５の外側板９２裏面にサブ基板１２０の側端部が挿入されると共に、このサブ基板１２０を電装箱５５から前方に移動可能に案内する案内部９６が着脱自在に設けられているので、オプション基板等のサブ基板１２０を必要としない機種であって、メイン基板１１０の大きな機種と、電装箱５５を共通化することができ、コスト低減を図ることができる。すなわち、案内部９６を構成するレール９６ａ及びサブ基板載置プレート９７を取り外せば、サブ基板１２０の収容スペースをメイン基板１１０の収容スペースを拡大することができるため、メイン基板１１０の大きな機種についても電装箱５５を共通化することができる。
【００３０】
また、上記実施の形態では、内側板９１の前端部９１ｃに設けられ、一部が開口する縦長のリード線挿通孔９９を備えているので、電装箱５５の外側に配置されたファンモーター４６、フラップ駆動モーター６３、温度センサー等のリード線をこのリード線挿通孔９９に挿通させてメイン基板１１０に接続することができる。また、上記実施の形態によれば、複数のリード線を束にしてリード線挿通孔９９に内側板９１の前方からリード線挿通孔９９に入れることができるので、作業性が向上する。また、リード線挿通孔９９の開口９９ａに設けられたフック部１００によりリード線挿通孔９９に挿通されたリード線が外側に移動するのを防止することができる。
【００３１】
但し、上記実施の形態は、本発明の一態様であり、本発明の趣旨を逸脱しない範囲において、適宜変更可能であるのは勿論である。
例えば、電装箱５５の上方にメイン基板１１０を収容し、下方にサブ基板１２０を収容する構成としたが、サブ基板１２０はメイン基板１１０の装着部品を避ける位置に収容されればよく、上記実施の形態の構成に限定されるものではない。例えば、電装箱の下方にメイン基板１１０を収容し、メイン基板１１０の上方にサブ基板１２０を収容してもよいのは勿論である。この場合、レール９６ａ、レール９６ｂ等の案内部９６取り付け位置等が変更されるのは勿論である。
また、リード線挿通孔９９の形態は上記実施の形態に限定されるものではなく、例えば、図１２（ａ）や図１２（ｂ）に示す様な形態とすることができる。図１２（ａ）及び図１２（ｂ）に示す例では、上記実施の形態と略同様に、内側板９１の前端部９１ｃに、一部が開口する縦長のリード線挿通孔２１０、２２０が設けられており、このリード線挿通孔２１０、２２０の開口２１１、２２１には、リード線挿通孔２１０、２２０に挿通されたリード線が当該開口２１１、２２１を介して外側に移動することを防止するフック部２１２、２２２ａ、２２２ｂが設けられている。
【００３２】
図１２（ａ）に示す例では、リード線挿通孔２１０はリード線が収容されるリード線収容部２１３と、リード線を挿入するためのリード線挿入部２１４とを備え、リード線収容部２１３とリード線挿入部２１４との連接部分が上記開口２１１となっている。リード線挿入部２１４の前部２１４ａは、幅が細く、高さ方向に長尺に形成されており、弾性変形する。リード線の束をリード線挿入部２１４の前部２１４ａ及び開口２１１の付近に押し当てた場合、リード線の束により奥方に押下される力によって、リード線挿入部２１４の前部２１４ａが奥方に倒れて開口２１１が開く。これにより、複数のリード線が束にされた状態のまま、リード線挿通孔２１０にリード線が挿通される。リード線が挿通されると、開口２１１は元の大きさに戻り、フック部２１２によりリード線が外側に移動するのが防止される。但し、フック部２１２は、リード線収容部２１３側と、リード線挿入部２１４の両側に設けられている。
【００３３】
図１２（ｂ）に示す例では、リード線挿通孔２２０の形状は、図１２（ａ）に示したリード線挿通孔２１０の形状と略同様の形状を示している。フック部２２２ａ、２２２ｂは、図１２（ａ）に示した例と同様に開口２２１のリード線収容部２２３側と、リード線挿入部２２４側の両側に設けられている。図１２（ｂ）に示す例では、リード線収容部２２３に収容されたリード線がリード線挿入部２２４側に移動しないようにするためにリード線収容部２２３と、リード線挿入部２２４とを仕切る仕切部２２５が設けられているこの仕切部２２５は、リード線挿入部２２４側に設けられたフック部２２２ａに連接して設けられている。また、リード線挿入部２２４の前部２２４ａが奥方に倒れるのを阻害しないように、リード線収容部２２３と、リード線挿入部２２４の奥側の連接部には、この仕切部２２５が挿入される挿入孔２２６が形成されている。リード線挿入部２２４の前部２２４ａをリード線の束により奥方に押下した場合、仕切部２２５はこの挿入孔２２６に挿入され、開口２２１は開く。リード線が開口２２１を介してリード線収容部２２３に挿通されて収容されると、開口２２１は元の大きさに戻り、フック部２２２ａ、２２２ｂによりリード線が内側板９１の外側に移動するのが防止されるとともに、仕切部２２５により、リード線挿入部２２４の側に移動するのが防止される。
【００３４】
尚、上述した電装箱５５は、少なくともその左右側面（内側板９１側、外側板９２側）と上部並びに後面（奥端９２ａ側）には、板金カバー（図示せず）を当てがって、この電装箱の周囲の熱の影響を受けにくくしてもよい。この場合は、板金カバーを外してから、外側板９２を側方に開いて、電装箱５５のサービス点検を行うこととなる。
【符号の説明】
【００３５】
１  壁掛け型空気調和装置
２  熱交換器
４  送風機
２０  熱交換ユニット
３１  ドレンパン
５５  電装箱
９１  内側板
９１ｃ  前端部
９２  外側板
９２ａ  奥端
９２ｂ  前端
９５  係止部
９６  案内部
９９  リード線挿通孔
１００  フック部
【図１】
0005410202.tif 000002
【図２】
0005410202.tif 000003
【図３】
0005410202.tif 000004
【図４】
0005410202.tif 000005
【図５】
0005410202.tif 000006
【図６】
0005410202.tif 000007
【図７】
0005410202.tif 000008
【図８】
0005410202.tif 000009
【図９】
0005410202.tif 000010
【図１０】
0005410202.tif 000011
【図１１】
0005410202.tif 000012
【図１２】
0005410202.tif 000013